(57)【特許請求の範囲】
【請求項１】
操作部により回転操作自在な昇降用駆動軸を設け、この昇降用駆動軸にそれの回転力を軸方向への移動力に変換する変換部を介して押引部材を連動連結し、この押引部材の押引作動により床部を昇降操作するために、該押引部材と床部とをリンクを介して連動連結してなる寝台における床部の昇降操作構造であって、前記昇降用駆動軸を螺子軸から構成するとともに、この螺子軸に外嵌し、且つ、該螺子軸の回転により螺子軸の長手方向に移動自在な摺動部材と、この摺動部材と一体的に移動し、且つ、前記押引部材に連結されたガイド部材とから前記変換部を構成し、前記螺子軸の長手方向両端部にそれぞれ備えさせた螺子部のないストレート軸部と、これら２つのストレート軸部のうちの少なくとも前記床部が最下降位置に位置したときのストレート軸部に移動した前記摺動部材を螺子部が形成された螺子部側に移動付勢する弾性体とから構成され、前記床部の最上昇位置及び最下降位置において、前記昇降用駆動軸と押引部材との連動を解除する解除手段を設けるとともに、前記床部からの荷重により前記昇降用駆動軸が回転することを阻止する阻止手段を設けたことを特徴とする寝台における床部の昇降操作構造。
【請求項２】
操作部により回転操作自在な昇降用駆動軸を設け、この昇降用駆動軸にそれの回転力を軸方向への移動力に変換する変換部を介して押引部材を連動連結し、この押引部材の押引作動により床部を昇降操作するために、該押引部材と床部とをリンクを介して連動連結してなる寝台における床部の昇降操作構造であって、前記床部の最上昇位置及び最下降位置において、前記昇降用駆動軸と押引部材との連動を解除する解除手段を設けるとともに、前記床部からの荷重により前記昇降用駆動軸が回転することを阻止する阻止手段を、前記昇降用駆動軸に外嵌される固定部材の内側に形成した収納部内を該昇降用駆動軸の回転により移動可能な駒部材から構成するとともに、制動方向側の内面が徐々に中心側に位置するような緩やかな弧を描くように前記収納部を形成してなる床部の昇降操作構造。
【請求項３】
前記阻止手段を、前記昇降用駆動軸に外嵌される固定部材の内側に形成した収納部内を該昇降用駆動軸の回転により移動可能な駒部材から構成するとともに、制動方向側の内面が徐々に中心側に位置するような緩やかな弧を描くように前記収納部を形成してなる請求項１記載の寝台における床部の昇降操作構造。
【発明の詳細な説明】
【０００１】
【発明の属する技術分野】
本発明は、寝台における床部の昇降操作構造に関し、詳しくは、操作部により回転操作自在な昇降用駆動軸を設け、この昇降用駆動軸にそれの回転力を軸方向への移動力に変換する変換部を介して押引部材を連動連結し、この押引部材の押引作動により床部を昇降操作するために、該押引部材と床部とをリンクを介して連動連結してなる寝台における床部の昇降操作構造に関する。
【０００２】
【従来の技術】
上記寝台における床部を昇降させる場合には、操作部であるハンドルを手動にて回転操作することにより昇降用駆動軸を回転させる。この回転力が変換部を介して軸方向への移動力に変換し、変換された移動力により押引部材が押し引き操作されて、床部を昇降操作することができるように構成している。そして、従来、前記昇降用駆動軸と押引部材とが変換部を介して常時連動連結されていたため、次に述べる不都合が発生していた。
【０００３】
つまり、床部が最上昇位置又は最下降位置にあるときに、更に上昇又は下降させる側に操作すると、昇降用駆動軸は回転するものの、押引部材が移動することができないため、昇降用駆動軸と押引部材とを連結している変換部に負荷がかかり、変換部を破損してしまう又は連動が絶たれてしまい、床部の昇降操作に支障を来す又は昇降操作が行えないことがあった。
【０００４】
【発明が解決しようとする課題】
本発明が前述の状況に鑑み、解決しようとするところは、変換部を破損することなく、長期間に渡って良好に使用することができる寝台における床部の昇降操作構造を提供する点にある。
【０００５】
【課題を解決するための手段】
本発明は、前述の課題解決のために、操作部により回転操作自在な昇降用駆動軸を設け、この昇降用駆動軸にそれの回転力を軸方向への移動力に変換する変換部を介して押引部材を連動連結し、この押引部材の押引作動により床部を昇降操作するために、該押引部材と床部とをリンクを介して連動連結してなる寝台における床部の昇降操作構造であって、前記昇降用駆動軸を螺子軸から構成するとともに、この螺子軸に外嵌し、且つ、該螺子軸の回転により螺子軸の長手方向に移動自在な摺動部材と、この摺動部材と一体的に移動し、且つ、前記押引部材に連結されたガイド部材とから前記変換部を構成し、前記螺子軸の長手方向両端部にそれぞれ備えさせた螺子部のないストレート軸部と、これら２つのストレート軸部のうちの少なくとも前記床部が最下降位置に位置したときのストレート軸部に移動した前記摺動部材を螺子部が形成された螺子部側に移動付勢する弾性体とから構成され、前記床部の最上昇位置及び最下降位置において、前記昇降用駆動軸と押引部材との連動を解除する解除手段を設けるとともに、前記床部からの荷重により前記昇降用駆動軸が回転することを阻止する阻止手段を設けたことを特徴としている。床部を昇降操作する場合には、螺子軸を回転操作することにより摺動部材が螺子軸の長手方向に移動し、この摺動部材とともにガイド部材及び押引部材が同一方向に一体的に移動して、床部を昇降させるのである。しかも、床部が最上昇位置及び最下降位置に位置すると同時に、摺動部材がストレート軸部に位置して、それ以上の上昇操作又は下降操作による螺子軸の回転力が摺動部材に伝達されることがない。そして、床部が最下降位置に位置している場合に、上昇操作すると、摺動部材が弾性体により螺子部側に移動付勢されているから、摺動部材が螺子部端部に直ちに噛み合い、摺動部材が螺子部を摺動して、床部が上昇されるのである。又、床部が最上昇位置に位置している場合に、下降操作すると、床部からの荷重により摺動部材が螺子部端部側に移動付勢されることになるから、前記弾性体を設けなくても、前記同様に摺動部材が螺子部端部に直ちに噛み合い、摺動部材が螺子部を摺動して、床部が下降されるのである。このように、床部の最上昇位置及び最下降位置で操作部により床部を更に上昇又は下降させるために昇降用駆動軸を回転操作しても、昇降用駆動軸と押引部材との連動が解除されているから、昇降用駆動軸の回転力が押引部材に伝達されることがない。そして、床部が上昇された位置にあるときには、昇降用駆動軸が床部下降方向に回転することを阻止することができるから、床部が不測に下降することはない。
【０００７】
前記阻止手段を、前記昇降用駆動軸に外嵌される固定部材の内側に形成した収納部内を該昇降用駆動軸の回転により移動可能な駒部材から構成するとともに、制動方向側の内面が徐々に中心側に位置するような緩やかな弧を描くように前記収納部を形成している。
従って、昇降用駆動軸が床部からの荷重を受けて、回転すると、駒部材が制動側に移動し、昇降用駆動軸と固定部材との間に駒部材が食い込むことにより昇降用駆動軸の回転が阻止されるのである。そして、収納部の内面が徐々に中心側に位置するような緩やかな弧を描くように形成することによって、前記食い込み力を昇降用駆動軸が床部からの荷重を受けて回転しない程度の制動力に設定することができるから、制動方向への昇降用駆動軸の回転操作力を可及的に小さくすることが可能になる。
【０００８】
【発明の実施の形態】
図１及び図２に、寝台が示されており、この寝台は、外側の枠フレームを構成する左右一対の第１フレーム１，１及びこれら第１フレーム１，１を連結する前後一対の第２フレーム２，２と、この枠フレームをこれよりも内側箇所で昇降自在に支持するための左右一対のメインフレーム３，３とを備え、前記メインフレーム３，３の上に床部４を載置するとともに、前記メインフレーム３，３の前端部及び後端部に固定のボス部５ａにそれぞれキャスター５を取付けて、移動可能な寝台を構成している。
【０００９】
前記床部４は、寝台の前方側に位置する背部床６と、これの直後方に位置する腰部床７と、これの直後方に位置する膝部床８と、これの直後方に位置する脚部床９とから構成するとともに、前記背部床６を水平方向の倒伏姿勢とこの倒伏姿勢から設定角度起伏した起伏姿勢に姿勢変更できるように構成している。
【００１０】
前記背部床６を姿勢変更するための床部昇降機構について説明すれば、図１〜図５に示すように、回転自在な昇降用駆動軸１０の一端にユニバーサルジョイント１１を介して内部中空の第１ロッド１２を連結し、この第１ロッド１２の遊端部に、固定部に固定されたブラケット１３に支持された内部中空の第２ロッド１４内に摺動可能にスプライン嵌合された伸縮ロッド１５をピンにより連結し、前記第２ロッド１４の遊端部に、これの長手方向と直交する方向でアーム１６を固定するとともに、このアーム１６の凹部１６Ａに折り畳み収納可能に操作部としてのクランクハンドル１７を枢支連結している。
前記昇降用駆動軸９にそれの回転力を軸方向への移動力に変換する変換部１８を介して押引部材１９を連動連結し、この押引部材１９の押引作動により背部床６を昇降操作するために、該押引部材１９と背部床６とをリンク２０を介して連動連結している。
従って、クランクハンドル１７を回転操作することによって、昇降用駆動軸１０を回転操作し、この回転力が変換部１８にて押引部材１９の軸方向への移動力に変換されて、押引部材１９が押引操作され、リンク２０を介して背部床６が姿勢変更されるのである。本発明は、背部床６を倒伏姿勢から設定角度起伏した起伏姿勢に姿勢変更できるものに用いることができる他、床部４全体を倒伏姿勢から設定角度起伏した起伏姿勢に姿勢変更したり、床部４全体を倒伏姿勢のまま上方側に位置変更させることができるものに用いることができる。
【００１１】
前記昇降用駆動軸１０を外面に螺子が形成された螺子軸から構成するとともに、この螺子軸１０に外嵌し、且つ、該螺子軸の回転により螺子軸の長手方向に移動自在にするために内面に雌螺子２１Ａが形成された筒状の摺動部材２１と、この摺動部材２１と一体的に移動するようにスプライン嵌合し、且つ、前記押引部材１９に係止連結されたガイド部材２２とから前記変換部１８を構成している。前記摺動部材２１の外周面の４か所に一直線状の歯部２１Ｂ…を形成し、この歯部２１Ｂ…に嵌合する孔２２Ｂ…を前記ガイド部材２２の内面に形成して、角形スプラインを構成している。図に示す２３は、摺動部材２１の抜け止め用のカバーキャップであり、図６にも示すように、ガイド部材２２の端部内面に形成された雌螺子部２２Ａに対してねじ込み固定するためにカバーキャップ２３の先端外面に雄螺子部２３Ａが形成されている。
【００１２】
前記螺子軸１０の長手方向両端部にそれぞれ螺子部のないストレート軸部１０Ａを備えさせ、これら２つのストレート軸部１０Ａ，１０Ａのうちの背部床６が最下降位置に位置したときのストレート軸部１０Ａに移動した摺動部材２１を螺子部１０Ｂが形成された螺子部側に移動付勢する弾性体としてのコイルスプリング２４を設けている。これら２つのストレート軸部１０Ａ，１０Ａ及びコイルスプリング２４を以て、螺子軸１０と押引部材１９との連動を解除する解除手段と称するものとする。このようにストレート軸部１０Ａ，１０Ａを設けることによって、背部床６が最上昇位置及び最下降位置に位置すると同時に、摺動部材２１がストレート軸部１０Ａ又は１０Ａに位置して、それ以上の上昇操作又は下降操作による螺子軸１０の回転力が摺動部材２１に伝達されることがない。そして、背部床６が最下降位置に位置している場合に、上昇操作すると、コイルスプリング２４により螺子部側に移動付勢されている摺動部材２１が螺子部端部に直ちに噛み合い、摺動部材２１が螺子部１０Ｂを摺動して、背部床６が上昇されるのである。前記一方のストレート軸部１０Ａに移動した摺動部材２１を螺子部側にコイルスプリング２４により移動付勢するようにしたが、他方のストレート軸部１０Ａに移動した摺動部材２１を同様にコイルスプリングにより螺子部側に移動付勢することによって、背部床６からの荷重だけでなくコイルスプリングによる付勢力を用いることによって、更に摺動部材２１が螺子部端部に容易に噛み合うことができるようにしてもよい。図に示す３０は、コイルスプリング２４を受け止めるためのスプリング受部材である。
【００１３】
前記背部床６からの荷重により前記螺子軸１０が回転することを阻止する阻止手段２５を設けている。この阻止手段２５は、図５および図７に示すように、螺子軸１０に外嵌した固定部材２６を、寝台側に固定されたケーシング２７にビス２８を用いて上下２か所で固定するとともに、この固定部材２６の内側に形成の複数の収納部２６Ａにそれぞれ棒状の駒部材２９を収納して構成されている。従って、背部床６を下降させるために螺子軸１０が回転操作されると、駒部材２９が収納面積が減少する側に移動して、駒部材２９が収納部２６Ａと螺子軸１０との間に食い込むことにより、図７において螺子軸１０の反時計周りの回転が阻止されることになり、上昇操作した後の背部床６が不測に下降することがないようにしている。そして、図に示すように、螺子軸１０の非操作状態では回転が阻止され、且つ、操作状態では制動方向への回転操作を容易に行える程度の制動力が該螺子軸１０に付与されるように、制動方向側の内面２６Ｂが徐々に中心側に位置するような緩やかな弧を描くように前記収納部２６Ａを形成することによって、前記食い込み力を螺子軸１０が背部床６からの荷重を受けて回転しない程度の制動力に設定することができるから、制動方向への螺子軸１０の回転操作力を可及的に小さくすることができる。詳述すれば、図９に示すように、前記収納部２６Ａは、螺子軸１０の中心を通る縦ラインから制動方向側へθ１（実際には３５°）及び前記縦ラインから非制動方向側へθ２（実際には２０°）の角度範囲となるように形成している。そして、螺子軸１０の中心点Ｒから図において右側に０．３ｍｍ（違いを明確化するために図では０．３ｍｍよりも多く取っている）寄った位置ｒから円弧を描くことによって、前記内面２６Ｂを形成するようにしている。前記位置ｒは、水平方向右側に移動させた位置に設定したが、上方右側に移動させた位置又は下方右側に移動させた位置に設定してもよく、制動方向側の内面２６Ｂが徐々に中心側に位置するような緩やかな弧を描くことができるのであれば、位置ｒは何処に設定してもよい。このように内面２６Ｂを形成することによって、中心点Ｒから１点鎖線で円弧を描いたものと内面２６Ｂとの間に小さな寸法差ａが発生し、この寸法差ａの大きさにより螺子軸１０が受ける制動力が決定されることになる。尚、前記螺子軸１０を金属製に、前記駒部材２９を金属製に、前記固定部材２６を合成樹脂製にし、且つ、前記寸法関係にしたときに、食い込み力を螺子軸１０が背部床６からの荷重を受けて回転しない程度の制動力に設定することができたのであるが、これら螺子軸１０、駒部材２９、固定部材２６の材質を変更した場合には、食い込み力を螺子軸１０が背部床６からの荷重を受けて回転しない程度の制動力に設定するために、前記寸法関係を変更調節することになる。
【００１４】
前記阻止手段２５を、図８に示すように、２個の駒部材２９をそれぞれの収納部２６Ａ、２６Ａに収納した固定部材２６から構成してもよく、駒部材２９の数量はこれらのものに限定されるものではない。又、前記阻止手段２５を、図１０（イ）に示すように、前記螺子軸１０に外嵌される固定部材２６の内側に形成した３つの収納部２６Ａに嵌まり込む駒部材２９から構成するとともに、前記螺子軸１０の制動方向側ほど前記各収納部２６Ａの収納面積が減少するように該収納部２６Ａを形成してなっている。図１０（ロ）では、図１０（イ）で示した駒部材２９の数を２つにしたものである。
【００１５】
【発明の効果】
請求項１によれば、床部が最上昇位置又は最下降位置にあるときには、昇降用駆動軸と押引部材との連動を解除することによって、操作部により上昇又は下降方向に昇降用駆動軸を操作しても、昇降用駆動軸が回転するだけで押引部材への動力伝達が行われないから、昇降用駆動軸と押引部材との連動部に負荷が加わり変換部が破損することがなく、長期間に渡って良好に使用できる寝台における床部の昇降操作構造を提供することができる。しかも、操作部をロック操作する等の特別な操作をしなくても、床部からの荷重により昇降用駆動軸が逆回転して、上昇操作された床部が不測に下降することがなく、操作性の向上を図ることができる。また、昇降用駆動軸と押引部材との連動を解除するための構成を機械的に連動することによって、電磁クラッチ等により昇降用駆動軸と押引部材との連動の断続を行えるように電気的に連動するものに比べて構造の簡素化及び動作の信頼性の向上を図ることができる。
【００１７】
請求項２及び３によれば、制動方向側の内面が徐々に中心側に位置するような緩やかな弧を描くように収納部を形成することによって、駒部材の食い込み力を昇降用駆動軸が床部からの荷重を受けて回転しない程度の制動力に設定することができるから、制動方向への昇降用駆動軸の回転操作力を可及的に小さくすることができ、もって、昇降用駆動軸を逆方向、つまり制動方向に回転操作するための操作を軽快に行うことができながらも、昇降用駆動軸の逆方向への回転を確実に阻止することができる。
【図面の簡単な説明】
【図１】寝台の概略側面図
【図２】背部床の昇降操作構造を示す平面図
【図３】背部床の昇降操作構造を示す一部切欠き側面図
【図４】背部床の昇降操作構造の要部を示す縦断側面図
【図５】阻止手段の取付部を示す縦断側面図
【図６】摺動部材、ガイド部材、カバーキャップを示す斜視図
【図７】阻止手段を示す固定部材の縦断正面図
【図８】阻止手段の別の形態を示す縦断正面図
【図９】阻止手段の要部を示す縦断正面図
【図１０】（イ）、（ロ）は阻止手段の別の形態を示す縦断正面図
【符号の説明】
１  第１フレーム
２  第２フレーム
３  メインフレーム
４  床部
５  キャスター
5a  ボス部
６  背部床
７  腰部床
８  膝部床
９  脚部床
10  昇降用駆動軸( 螺子軸)
10A ストレート軸部
10B 螺子部
11  ユニバーサルジョイント
12  第１ロッド
13  ブラケット
14  第２ロッド
15  伸縮ロッド
16  アーム
16A 凹部
17  クランクハンドル
18  変換部
19  押引部材
20  リンク
21  摺動部材
21A 雌螺子
21B 歯部
22  ガイド部材
22A 雌螺子部
22B 孔
23  カバーキャップ
23A 雄螺子部
24  コイルスプリング( 弾性体)
25  阻止手段
26  固定部材
26A 収納部
27  ケーシング
28  ビス
29  駒部材
30  スプリング受部材
θ１，θ２  角度
ａ  寸法差
Ｒ  中心点
ｒ  位置
【図１】
0003924650.tif 000002
【図２】
0003924650.tif 000003
【図３】
0003924650.tif 000004
【図４】
0003924650.tif 000005
【図５】
0003924650.tif 000006
【図６】
0003924650.tif 000007
【図７】
0003924650.tif 000008
【図８】
0003924650.tif 000009
【図９】
0003924650.tif 000010
【図１０】
0003924650.tif 000011